(57)【要約】【課題】  菜園における栽培の援助行為を行うことで、高齢者による菜園による野菜作り等が容易に行えるようにする。【解決手段】  栽培スペース１において実際に栽培される植物の栽培スケジュールを作成表示することを特徴とする植物栽培管理装置及び複数の植物に対応する栽培プログラム２０を記憶する記憶手段１１と、栽培スペース１において実際に栽培される植物の現状入力に応じて栽培プログラム２０に基づき実際に栽培される植物の栽培スケジュールを作成する栽培スケジュール作成手段１０と、栽培スケジュールを表示する表示手段１２とを備える植物栽培管理装置。【選択図】図１
2011182671.tif 000002
【特許請求の範囲】
【請求項１】
栽培スペースにおいて実際に栽培される植物の栽培スケジュールを作成表示することを特徴とする植物栽培管理装置。
【請求項２】
複数の植物に対応する栽培プログラムを記憶する記憶手段と、
栽培スペースにおいて実際に栽培される植物の現状入力に応じて前記栽培プログラムに基づき前記実際に栽培される植物の栽培スケジュールを作成する栽培スケジュール作成手段と、
前記栽培スケジュールを表示する表示手段と、
を備えることを特徴とする植物栽培管理装置。
【請求項３】
請求項１または２記載の植物栽培管理装置と、前記実際に栽培される植物の監視機構とを備えることを特徴とする植物栽培管理システム。
【請求項４】
前記監視機構が、前記栽培スペースのカメラによるモニター機構及び／または前記栽培スペースの土壌状態の検知機構である請求項３記載の植物栽培管理システム。
【請求項５】
菜園における栽培野菜の生育に伴う栽培援助を行うとともに、前記栽培野菜の生育環境の監視を行うことを特徴とする菜園管理方法。
【発明の詳細な説明】
【技術分野】
【０００１】
この発明は、菜園等の野菜栽培等に使用される植物栽培管理装置及び植物栽培管理システム、菜園管理方法に関する。
【背景技術】
【０００２】
従来より花や野菜を作り育てることは趣味として広く行われているが、とくに最近では高齢者による花や野菜作りが盛んになってきている。しかしながら、花や野菜作りにはある程度詳しい知識が必要であるとともに種々の用具も揃えなければならず、これらが支障となって取り組みにくい面がある。例えば、老人ホーム等の施設において菜園を作りそこで入居者が野菜作りを楽しむようなことが考えられるが、その場合に上記の問題によりその運営がスムーズに行われなくなる。また、一方、昨今我が国においては食物の自給率低下の問題があり、その点では各家庭で菜園を作るのが望ましいが、これも上記の問題がその実現を阻んでいる。
【発明の概要】
【発明が解決しようとする課題】
【０００３】
この発明は上記の事情に鑑みて行ったもので、菜園における栽培の援助行為を行うことで、高齢者等による菜園での野菜作り等が容易に行えるようにすることを目的とする。
【課題を解決するための手段】
【０００４】
請求項１の発明では、栽培スペースにおいて実際に栽培される植物の栽培スケジュールを作成表示することを特徴とする植物栽培管理装置を、請求項２の発明では、複数の植物に対応する栽培プログラムを記憶する記憶手段と、栽培スペースにおいて実際に栽培される植物の現状入力に応じて前記栽培プログラムに基づき前記実際に栽培される植物の栽培スケジュールを作成する栽培スケジュール作成手段と、前記栽培スケジュールを表示する表示手段と、を備えることを特徴とする植物栽培管理装置を提供する。
【０００５】
上記発明それぞれの構成によれば、栽培スペースにおいて実際に栽培される植物の栽培スケジュールを容易に確認できる。
【０００６】
請求項３の発明では、請求項１または２記載の植物栽培管理装置と、前記実際に栽培される植物の監視装置とからなる植物栽培管理システムを提供する。
【０００７】
上記発明の構成によれば、栽培スペースにおいて実際に栽培される植物の栽培スケジュールを容易に確認できるとともにその監視が行える。監視装置として、栽培スペースのカメラによるモニター機構及び／または前記栽培スペースの土壌状態の検知機構が採用されることで、栽培スペースからの画像や検知データがリアルタイムに確認でき、栽培野菜等の生育状態が容易に把握できるとともに、異常が発生した場合には迅速な対応が可能となる。
【０００８】
請求項５の発明では、菜園における栽培野菜の生育に伴う栽培援助を行うとともに、前記栽培野菜の生育環境の監視を行うことを特徴とする菜園管理方法を提供する。
【０００９】
上記発明の構成によれば、菜園における栽培野菜の生育に伴う栽培援助が行われることで、高齢者等による野菜栽培が容易に行われるようになるとともに、栽培野菜の生育環境の監視が行われることで栽培野菜の生育が安定したものとなる。
【発明の効果】
【００１０】
この発明の植物栽培管理装置によれば、栽培スペースにおいて実際に栽培される植物の栽培スケジュールが容易に確認できるようになって、管理者はスケジュールに対応する菜園従事者等への栽培指導や用具提供等の援助行動を適切に行えるようになる。この発明の植物栽培管理システムによれば、栽培スペースにおいて実際に栽培される植物の栽培スケジュール等が容易に確認できるとともにその監視が行える。これにより管理者はスケジュールに対応する菜園従事者等への栽培指導や用具提供等の援助行動を適切に行えるとともに、確実な栽培管理が行えるようになる。この発明の菜園管理方法によれば、栽培の援助が行われるとともに栽培野菜の生育環境の監視が行われることで、高齢者等による野菜栽培が容易に安定して行われるようになる。
【図面の簡単な説明】
【００１１】
【図１】この発明の植物栽培管理システムの実施形態の構成図
【図２】この発明の植物栽培管理装置において使用する栽培プログラムの構成図
【図３】この発明の植物栽培管理装置において使用する栽培データの構成図
【図４】この発明の植物栽培管理装置の制御部の動作のフローチャート
【発明を実施するための形態】
【００１２】
図1 は請求項３、４の発明の植物栽培管理システムＳの全体構成を示す。１のそれぞれは菜園（栽培スペース）であり、菜園従事者それぞれに対応する複数の区画を備えており、老人ホームや一般マンションの庭や屋上に設けられる。２は管理会社等よりなる管理体であり、管理体２のコンピュータ（請求項１、２の発明の植物栽培管理装置）３により上記それぞれの菜園１における野菜栽培の管理がなされる。菜園１それぞれにはモニターカメラ５が設けられるとともに区画毎に土壌の水分量やＰＨ値の検知器７が備えられ、それら機器からの画像信号や検知信号が通信機８を介して管理体２側に無線により送られるようになっている。
【００１３】
コンピュータ３において、１０は制御部（栽培スケジュール作成手段）、１１はメモリ（記憶手段）、１２はディスプレイ（表示手段）、１３は操作部であり、制御部１０は予め設定されたプログラムに基づき種々の動作を行う。メモリ１１には、後に説明する複数の野菜に対応する栽培プログラム２０と、栽培スペース１において実際に栽培される植物の栽培データ３０とが記憶されている。１４は通信機、１５はモニターテレビである。上記モニターカメラ５、通信機８、通信機１４、モニターテレビ１５がモニター機構を構成し、上記検知器７、通信機８、通信機１４、モニターテレビ１５が検知機構を構成する。
【００１４】
図２は栽培プログラム２０の構成を示し、栽培野菜データ欄２１それぞれの栽培野菜に対応する栽培プログラムが栽培プログラム欄２２に納められており、例えば「きゅうり」においては「苗植え付け」、「支柱立て」、「追肥」、「収穫」がその間の期間とともに時系列に書き込まれている。
【００１５】
図３は栽培データ３０の構成を示す。３１は菜園データ欄、３２は区画データ欄、３３は栽培野菜データ欄、３４は実際栽培データ欄であり、菜園データ欄３１には菜園名Ａ・・・が、区画データ欄３２には区画名ａ・・・が、栽培野菜データ欄３３には「きゅうり」や「なす」等などの野菜名が、実際栽培データ欄３４には栽培作業とその予定日や実施日が時系列に書き込まれて納められている。
【００１６】
次に、上記制御部１０の動作を図４のフローチャートを参照して説明する。操作部１３における操作入力により一つの菜園１の区画データを特定する入力がなされると（ステップＳ１、Ｓ２）、栽培データ３０においてその区画に対応する実際栽培データを呼び出し（ステップＳ３）、ディスプレイ１２において表示する（ステップＳ４）。例えば、特定された区画データが菜園Ａのａとする場合、実際栽培データは図３に示す「苗植え付け○月○日実施    支柱立て○月○日予定  １回目追肥○月○日予定  ２回目追肥○月○日予定  ３回目追肥○月○日予定  ４回目追肥○月○日予定  収穫○月○日予定」が表示される。この表示における「支柱立て○月○日予定  １回目追肥○月○日予定  ２回目追肥○月○日予定  ３回目追肥○月○日予定  ４回目追肥○月○日予定  収穫○月○日予定」の部分が栽培スケジュールであり、管理者はこれを見ることで菜園Ａの区画ａにおける将来の作業が容易に確認でき、このスケジュールに対応して菜園従事者への栽培指導や用具提供等の援助行動が適切に行える。
【００１７】
上記の菜園Ａの区画ａにおいて「支柱立て」作業を実際に行われた段階で実際栽培データにおいてその実施日を書き込みの操作入力を行うと（ステップＳ１、Ｓ２）、その実施日と栽培プログラム２０における「きゅうり」の栽培プログラムとから作業予定期日が算出されて栽培スケジュールが新たに作成され（ステップＳ５）、これにより予定期日が修正されて実施栽培データは「苗植え付け○月○日実施    支柱立て○月○日実施  １回目追肥○月○日予定  ２回目追肥○月○日予定  ３回目追肥○月○日予定  ４回目追肥○月○日予定  収穫○月○日予定」と更新される（ステップＳ６）。これにより次の実際栽培データを呼び出しに際しては、次の１回目の「追肥」の以降の予定が確認できる。
【００１８】
また、管理体２においては通信機１４により菜園１から送られてくる画像信号や土壌状態検知信号が受信され、その信号に基づく画像や検知データがモニターテレビ１５によりリアルタイムに確認でき、これにより管理者は栽培野菜の生育状態や栽培作業の実施が容易に把握できるとともに、異常が発生した場合には迅速な対応が可能となる。
【符号の説明】
【００１９】
１    菜園（栽培スペース）
５    モニターテレビ（監視機構）
７    検知器（監視機構）
８    通信機（監視機構）
１０  制御部（栽培スケジュール作成手段）      
１１  メモリ（記憶手段）
１２  ディスプレイ（表示手段）
１４  通信機（監視機構）
１５  モニターテレビ（監視機構）
２０  栽培プログラム  
【図１】
2011182671.tif 000003
【図２】
2011182671.tif 000004
【図３】
2011182671.tif 000005
【図４】
2011182671.tif 000006